(57)【要約】【課題】採点結果の表示方法を複数類備え、そのうちのどれかを選択することができるリモコン装置において、曲毎に所望の表示方法で採点結果を表示することができるカラオケシステムを提供する。【解決手段】カラオケ楽曲の演奏を指示するリクエスト指示情報を受け取って（無線通信部１７，ＣＰＵ部１２，主記憶部１８）、前記受け取ったリクエスト指示情報を解析し（ＣＰＵ部１２）、前記解析結果に基づいて楽曲演奏を行って（ＭＩＤＩ音源部２４，ミキサ／アンプ部２６，スピーカ３０）、前記解析結果に前記リクエスト指示情報に採点モード指示情報が含まれている場合は、前記演奏時に入力される歌唱者の音声を採点し、採点結果を表示する（ＣＰＵ部１２）。【選択図】  図１   
2005275309.tif 000002
【特許請求の範囲】
【請求項１】
カラオケ楽曲の演奏時の歌唱者の音声を採点する採点モードを備えたカラオケ装置であって、
カラオケ楽曲の演奏を指示するリクエスト指示情報を受け取るリクエスト指示情報受信手段と、
前記受け取ったリクエスト指示情報を解析する解析手段と、
前記解析結果に基づいて楽曲演奏を行う楽曲演奏手段と、
前記解析結果に基づいて前記リクエスト指示情報に採点モード指示情報が含まれている場合は、前記演奏時に入力される歌唱者の音声を採点し、採点結果を表示する採点手段と
を備えたことを特徴とするカラオケ装置。
【請求項２】
前記採点モード指示情報には、複数種類の採点方法のいずれかを指示する情報を含み、
前記採点手段は、前記採点モード指示情報で指示された採点方法に基づいて、採点を行うこと
を特徴とする請求項１に記載のカラオケ装置。
【請求項３】
カラオケ装置と共に使用されるカラオケ用リモコン装置であって、
演奏予約する楽曲情報を入力する楽曲情報入力手段と、
前記入力された楽曲情報に基づいて、該楽曲の詳細情報を表示する楽曲情報表示手段と、
前記表示された楽曲に対して、演奏時の歌唱に対する採点を指示する採点モード指示情報を入力する採点モード入力手段と、
カラオケ装置に対するリクエスト送信の指示を行うリクエスト指示手段と、
前記指示に基づいて、少なくとも前記表示された楽曲情報に対する演奏指示と該楽曲の演奏時における採点モードを指示する採点モード指示情報とからなるリクエスト指示情報をカラオケ装置に送信する送信手段と
を備えたことを特徴とするカラオケ用リモコン装置。
【請求項４】
前記採点モード指示情報には、複数種類の採点方法のいずれかを指示する情報を含くむこと
を特徴とする請求項３に記載のカラオケ用リモコン装置。
【請求項５】
前記請求項1又は２のいずれかに記載のカラオケ装置と、前記請求項３又は４のいずれかに記載のリモコン装置とからなるカラオケシステム。
【請求項６】
カラオケ装置と共に用いられるカラオケ用リモコン装置に曲毎の採点モードを指示する機能を実行させるためのプログラムであって、
演奏予約する楽曲情報を入力するステップと、
前記入力された楽曲情報に基づいて、該楽曲の詳細情報を表示するステップと、
前記表示された楽曲に対して、演奏時の歌唱に対する採点を指示する採点モード指示情報を入力するステップと、
カラオケ装置に対するリクエスト送信の指示を行うステップと、
前記指示に基づいて、少なくとも前記表示された楽曲情報に対する演奏指示と該楽曲の演奏時における採点モードを指示する採点モード指示情報とからなるリクエスト指示情報をカラオケ装置に送信するステップと
を含むことを特徴とするカラオケ用リモコン装置に曲毎の採点モードを指示する機能を実行させるためのプログラム。
【請求項７】
カラオケ装置に演奏予約された楽曲毎に該カラオケ楽曲の演奏時の歌唱者の音声を採点する採点モードを指示できる機能を実行させるためのプログラムであって、
カラオケ楽曲の演奏を指示するリクエスト指示情報を受け取るステップと、
前記受け取ったリクエスト指示情報を解析するステップと、
前記解析結果に基づいて楽曲演奏を行うステップと、
前記解析結果に基づいて前記リクエスト指示情報に採点モード指示情報が含まれている場合は、前記演奏時に入力される歌唱者の音声を採点し、採点結果を表示するステップと
を含むことを特徴とするカラオケ装置に演奏予約された楽曲毎に該カラオケ楽曲の演奏時の歌唱者の音声を採点する採点モードを指示できる機能を実行させるためのプログラム。
【発明の詳細な説明】
【技術分野】
【０００１】
本発明は、カラオケシステムに係り、更に詳しくは、カラオケ装置と該カラオケ装置のリモコン装置とからなるカラオケシステムにおいて、カラオケ楽曲の歌唱の採点をすることができるものに関する。
【背景技術】
【０００２】
カラオケ装置には歌唱を採点する機能が搭載されている（例えば、特許文献１参照）。このような従来の採点機能はモード設定で、採点モードを選択することでユーザによる歌唱を採点することができる。
【０００３】
また、採点の結果の出し方には、いくつかのバリエーションのあり、例えば、普通に結果の点数を表示するものもあれば、大人向けに女の子の映像を背景に結果の点数を表示するものがある。このような結果の出し方は、前記採点モードの選択時に、大人向けの採点を「する／しない」の設定をすることで実現することができる。  
【特許文献１】特開平8-83088号公報
【発明の開示】
【発明が解決しようとする課題】
【０００４】
従来のカラオケ装置の採点機能による採点結果の表示方法（例えば、大人向けの採点を「する／しない」）は、一度設定すると、モード切り替え操作をしない限り、そのモードが保持されて、同じ方法で結果を表示するようになっている。従って、大人向けの採点結果表示を期待していたにも関わらず、直前に歌った人が普通表示の採点結果を選択していた場合は、その普通表示のモードが維持されているため、歌う人は、歌う直前にどのような採点で表示されるかをモード確認機能で確認しなければならないという煩わしさがあった。
【０００５】
本発明は、上記の問題点を解決する為になされたものであり、採点結果の表示方法を複数種類備え、そのうちのどれかを選択することができるリモコン装置において、曲毎に所望の表示方法で採点結果を表示することができるようになしたカラオケシステムを提供することを目的とする。
【課題を解決するための手段】
【０００６】
請求項１に係る本発明のカラオケ装置１０は、上記目的を達成するために、カラオケ楽曲の演奏時の歌唱者の音声を採点する採点モードを備えたカラオケ装置１０であって、カラオケ楽曲の演奏を指示するリクエスト指示情報を受け取るリクエスト指示情報受信手段（無線通信部１７，ＣＰＵ部１２，主記憶部１８）と、前記受け取ったリクエスト指示情報を解析する解析手段（ＣＰＵ部１２）と、前記解析結果に基づいて楽曲演奏を行う楽曲演奏手段（ＭＩＤＩ音源部２４，ミキサ／アンプ部２６，スピーカ３０）と、前記解析結果に基づいて前記リクエスト指示情報に採点モード指示情報が含まれている場合は、前記演奏時に入力される歌唱者の音声を採点し、採点結果を表示する採点手段（ＣＰＵ部１２）とを備えたことを特徴とする。
【０００７】
請求項２に係る本発明のカラオケ装置は、上記の目的を達成する為に、請求項１に記載のカラオケ装置１０において、前記採点モード指示情報には、複数種類の採点方法のいずれかを指示する情報を含み、前記採点手段は、前記採点モード指示情報で指示された採点方法に基づいて、採点を行うことを特徴とする。
【０００８】
請求項３に係る本発明のリモコン装置１００は、上記の目的を達成する為に、カラオケ装置と共に使用されるカラオケ用リモコン装置であって、演奏予約する楽曲情報を入力する楽曲情報入力手段（操作部１２０）と、前記入力された楽曲情報に基づいて、該楽曲の詳細情報を表示する楽曲情報表示手段（表示部１４０，ＣＰＵ部１３０）と、前記表示された楽曲に対して、演奏時の歌唱に対する採点を指示する採点モード指示情報を入力する採点モード入力手段（操作部１２０，表示部１４０，ＣＰＵ部１３０）と、カラオケ装置に対するリクエスト送信の指示を行うリクエスト指示手段（操作部１２０）と、前記指示に基づいて、少なくとも前記表示された楽曲情報に対する演奏指示と該楽曲の演奏時における採点モードを指示する採点モード指示情報とからなるリクエスト指示情報をカラオケ装置に送信する送信手段（無線通信部１１０，ＣＰＵ１３０）とを備えたことを特徴とする。
【０００９】
請求項４に係る本発明のリモコン装置１００は、上記の目的を達成する為に、前記請求項３に記載のリモコン装置であって、前記採点モード指示情報には、複数種類の採点方法のいずれかを指示する情報を含くむことを特徴とする。
【００１０】
請求項５に係る本発明のカラオケシステム１は、上記の目的を達成する為に、前記請求項1又は２のいずれかに記載のカラオケ装置と、前記請求項３又は４のいずれかに記載のリモコン装置とからなる。
【００１１】
請求項６に係る本発明のリモコン装置１００のプログラムは、上記の目的を達成する為に、カラオケ装置１０と共に用いられるカラオケ用リモコン装置１００に曲毎の採点モードを指示する機能を実行させるためのプログラムであって、演奏予約する楽曲情報を入力するステップ（Ｓ１００，Ｓ１０２）と、前記入力された楽曲情報に基づいて、該楽曲の詳細情報を表示するステップ（Ｓ１０４，Ｓ１０６）と、前記表示された楽曲に対して、演奏時の歌唱に対する採点を指示する採点モード指示情報を入力するステップ（Ｓ１０８，Ｓ１１０）と、カラオケ装置に対するリクエスト送信の指示を行うステップ（Ｓ１１２）と、前記指示に基づいて、少なくとも前記表示された楽曲情報に対する演奏指示と該楽曲の演奏時における採点モードを指示する採点モード指示情報とからなるリクエスト指示情報をカラオケ装置に送信するステップ（Ｓ１１４）とを含むことを特徴とする。
【００１２】
請求項７に係る本発明のカラオケ装置１０のプログラムは、上記の目的を達成する為に、カラオケ装置１０に演奏予約された楽曲毎に該カラオケ楽曲の演奏時の歌唱者の音声を採点する採点モードを指示できる機能を実行させるためのプログラムであって、カラオケ楽曲の演奏を指示するリクエスト指示情報を受け取るステップ（Ｓ１０，Ｓ１２）と、前記受け取ったリクエスト指示情報を解析するステップ（Ｓ１４）と、前記解析結果に基づいて楽曲演奏を行うステップ（Ｓ１６，Ｓ１８）と、前記解析結果に基づいて前記リクエスト指示情報に採点モード指示情報が含まれている場合は、前記演奏時に入力される歌唱者の音声を採点し、採点結果を表示するステップ（Ｓ２０，Ｓ２２，Ｓ２４，Ｓ２６）とを含むことを特徴とする。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明に係るカラオケシステムによれば、採点結果の表示方法を複数類備え、そのうちのどれかを選択することができるリモコン装置において、曲毎に所望の表示方法で採点結果を表示することができるカラオケシステムを提供することができる。
【発明を実施するための最良の形態】
【００１５】
以下、この発明の実施の形態を説明する。
【実施例１】
【００１６】
つぎに、本発明の実施の形態を、図面と共に詳細に説明する。
【００１７】
図１は、本発明に係るカラオケシステム１の構成を示すブロック図であって、通信カラオケ装置に適用した場合の基本構成を示している。
【００１８】
１０は通信カラオケ装置を示している。１２は、ＣＰＵ部であり、通信カラオケ装置１０の全体を制御するものであって、マイクロプロセッサの他に、採点プログラムなどの各種制御プログラムを格納するためのＲＯＭ１２ａ及び制御に必要な複数のフラグ領域を有しデータ等を一時的に格納するＲＡＭ１２ｂなどで構成されており、各種の入出力装置の制御、メモリー管理及びデータ処理などを行う。
【００１９】
１４は、操作部であり、通信カラオケ装置１０の各種状態を設定する各種キー、スイッチで構成される。
【００２０】
１６は、状態情報表示部であり、通信カラオケ装置１０の各種状態を設定する為に必要な情報を操作者に表示（例えば、警告表示）するＬＣＤやＬＥＤなどで構成される。
【００２１】
１８は、主記憶部であり、半導体メモリーなどの書き換え及び高速アクセス可能な記憶媒体で構成され、ＣＰＵ部１２の制御の下に、後述する補助記憶部２０から読み出した楽曲データを解凍した状態で記憶すると共に、リモコン装置１００からリクエスト予約された情報（楽曲番号、採点指定（指定なし、ノーマル、ギャル、グラビア、全国採点、採点しない）など）を記憶するリクエスト指示情報管理テーブルＴＢ１８ａを備える。
【００２２】
２０は、補助記憶部であり、一般的にはハードディスク装置や、ＣＤ−ＲＯＭ、ＤＶＤ−ＲＯＭやＤＶＤ−ＲＡＭなど書き換え可能な記憶媒体若しくは読み取り専用の記憶媒体とその記録再生装置で構成され、ＣＰＵ部１２の制御の下に、カラオケデータを配信するホストコンピュータ３００からネットワーク４００を介して通信処理部２２で受信した楽曲データ（ＭＩＤＩデータ、歌詞データ、歌詞の色替データ等）や背景映像データを格納する。通常、楽曲データや背景映像データは、補助記憶部２０の記憶容量を極力減らさない為に、データ圧縮された状態で格納される。また、この楽曲データや背景映像データは、通信カラオケ装置１０の使用者による操作によってホストコンピュータ３００から取り込まれたり、夜間などの通信カラオケ装置１０の使用頻度の少ない時間帯に自動的にホストコンピュータ３００から取り込まれる。
【００２３】
また、この補助記憶部２０には、検索用データベース２０ａが設けられ、該検索用データベース２０ａには、補助記憶部２０に記憶した楽曲データや背景映像データを管理する為に必要な情報が記憶されており、各楽曲毎に、楽曲番号，曲名，歌手名，歌いだし歌詞情報，デュエット情報，格納された日付（年月日）及び格納以降の選曲回数を示す情報などが記憶されている。
【００２４】
２４は、ＭＩＤＩ音源部であり、ＣＰＵ部１２によって、補助記憶部２０に格納された楽曲データ中のＭＩＤＩデータが供給され、このＭＩＤＩデータを電子楽器の機能によって演奏音楽信号として出力する。
【００２５】
２６は、ミキサ／アンプ部であり、ＭＩＤＩ音源部２４から出力された演奏音楽信号と、マイク２８によって取り込まれた歌い手の歌声の信号とを合成及び増幅してスピーカ３０に出力することによって、演奏音楽及び歌い手の歌声を可聴音として再生する。
【００２６】
３２は、外部映像再生装置であり、広く普及しているＶＴＲ、ビデオＣＤプレーヤ、ＬＤプレーヤ、また最近では、ＭＰＥＧ（Ｍｏｖｉｎｇ  Ｐｉｃｔｕｒｅ  Ｅｌｅｍｅｎｔ  Ｇｒｏｕｐ）プレーヤやＤＶＤ（Ｄｉｇｉｔａｌ  Ｖｉｄｅｏ  Ｄｉｓｋ）プレーヤなどであって、ＣＰＵ部１２の制御の下に、記録媒体であるビデオテープや各種ディスクに記録されている映像データから映像信号を再生して出力する。
【００２７】
３４は、表示制御部であり、ＣＰＵ部１２の制御によって、補助記憶部２０から読み出した演奏する曲の歌詞データと色替データから歌詞映像を作成すると共に、背景となる背景映像を補助記憶部２０から読み出した背景映像データから作成して、該歌詞映像と背景映像を合成して、後述する映像表示部３８に出力する。尚、表示制御部２４は、背景映像として、前記外部映像再生装置３２から供給される映像を合成して出力することもできる。
【００２８】
３６は、映像表示部であり、最近広く普及しているワイドＴＶやモニターＴＶなどの複数の映像を複数のウインドウに同時に表示可能な表示装置である。
【００２９】
３８はリモコン装置１００ａ，１００ｂ，・・・と双方向の無線通信を行う無線通信部であり、無線通信方式として本実施例ではブルートゥース（Bluetooth）の技術を採用している。
【００３０】
１００ａ，１００ｂ，１００ｃ，・・・は、カラオケ装置用リモコン装置であり、図２のブロック構成図に示したように、前記通信カラオケ装置１０の無線通信部３８と双方向通信を行うための無線通信部１１０を備えており、無線通信方式として本実施例ではブルートゥース（Bluetooth）の技術を採用している。
【００３１】
１２０は操作部であり、カラオケ楽曲の検索キーワード入力，検索リモコン指示入力，カラオケ演奏予約リモコン指示入力、採点予約指示入力などの各種操作情報を入力することができる。
【００３２】
１３０はＣＰＵ部であり、リモコン装置１００の全体を制御するものであって、マイクロプロセッサの他に、制御プログラムやリモコン装置固有の識別情報ＩＤを格納するためのＲＯＭ１３０ａ及びカラオケ装置１０に送信する検索リモコン指示情報などの各種リモコン情報やカラオケ装置１０から受信した検索結果情報等の受信情報を一時的に格納するＲＡＭ１３０ｂを備えている。
【００３３】
１４０はＬＣＤ等からなる表示部であり、検索操作画面、検索キーワードＫＷ、検索結果画面などの各種情報を表示する。
【００３４】
このように、カラオケ用リモコン装置１００は、楽曲検索を行うためのデータベースを備えていない。従って、楽曲検索を行う際には、検索指示をカラオケ装置１０に送信して、カラオケ装置１０で検索した結果を受信して、表示する構成としている。
【００３５】
上述したカラオケ装置１０およびリモコン装置１００の構成は、ハードウエア的には、任意のコンピュータのＣＰＵ，メモリ、その他のＬＳＩで実現でき、ソフトウエア的には図示しないメモリ上に予め記憶され、実行時に読み出されるプログラムなどによって実現されるが、ここではそれらの連携によって実現される機能ブロックを描いている。従って、これらの機能ブロックがハードウエアのみ、ソフトウエアのみ、またはそれらの組み合わせによっていろいろな形で実現できることは当業者には理解されるところである。
【００３６】
図３はこの発明の実施形態であるカラオケ用リモコン装置１００の外観図である。該リモコン装置１００は、その上面に検索キーワードＫＷなどの入力や各種操作を行うための操作ボタン１２０と、入力された検索キーワードＫＷや検索結果リスト等の情報や後述する各種ソフトウエアボタンなどを表示する表示部１４０と、カラオケ装置とブルートゥース（Bluetooth）により通信を行う無線通信部１１０を備えている。
【００３７】
操作ボタンにおいて、「採点」ボタン１６０は、リクエスト予約時において、当該リクエスト曲の採点モードを指示するためのモード指示ボタンである。本実施例において、「採点」ボタン１６０で指示可能な採点モードは、「指定なし」（指定しないので演奏時の採点設定状況によりその時の種類で採点する（＝おまかせ））、「ノーマル」（通常の採点）、「ギャル」（結果表示の仕方がノーマルと違っており裸の女の人がタイルで隠されており点数に応じてタイルがはがされる採点。点数が高いほどはがされるタイルが多い。大人向けなので、カラオケ装置側の設定情報でナイト向けに使用する、を選択しないと使用できない。）、「グラビア」（ギャル採点のデイ用（一般向け）。水着ギャルがタイルで隠されており点数に応じてタイルがはがされる採点。点数が高いほどはがされるタイルが多い。）、「全国採点」（採点結果の表示が全国で第何位かがわかる採点結果表示機能。）、「採点しない」（採点したくない場合）の６種類が用意されている。
【００３８】
そして、前記「採点」ボタン１６０を１回押下する毎に、採点モードの表示が、「指定なし」→「ノーマル」→「ギャル」→「グラビア」→「全国採点」→「採点しない」→「指定なし」とサイクリックに切り替わるように制御される。
【００３９】
また、「曲名」ボタン１６１,「歌手／ジャンル」ボタン１６２,「新譜／発売年」ボタン１６３、「曲番」ボタン１６４は、それぞれが検索カテゴリを指示する検索ボタンであり、「曲名」ボタン１６１は検索カテゴリ「曲名」での検索カテゴリを指示する検索ボタンであり、「歌手名／ジャンル」ボタン１６２は1回押下すれば検索カテゴリ「歌手名」による検索,２回押下すれば検索カテゴリ「ジャンル」による検索カテゴリを指示する検索ボタンであり、「新譜／発売年」ボタン１６３は１回押下すれば検索カテゴリ「新譜」による検索、２回押下すれば検索カテゴリ「発売年」による検索カテゴリを指示する検索ボタンであり、「曲番」ボタン１６４は曲番号入力により該当する曲の検索を指示する検索ボタンである。
【００４０】
操作ボタン１６５は曲名，歌手名，曲番などの検索キーワードを入力するための平仮名,アルファベット，英数字などの入力ボタンであり、１つのボタンに複数の文字が割り当てられている。例えば、ボタン１６５ａには、あ行の仮名文字（あ，い，う，え，お）と数字「１」が割り当てられており、仮名文字入力モード時（デフォルトは仮名文字入力モード、数字を入力する際には、「文字」ボタン１６６でモードを変更する）に、ボタン１６５ａを一回押下すると「あ」が入力され、もう一度（連続して二回）押下すると「い」が入力され、同様に、三回押下で「う」、四回押下で「え」、五回押下で「お」、六回押下以降は、「あ」に戻り、以降、押下毎にサイクリックに文字が切り替わる。「ああ」と入力する場合は、ボタン１６５ａを一回押下した後、カーソル移動ボタン１７０を押下することで、次の文字入力が可能になるため、その後、ボタン１６５ａを一回押下すればよい。
【００４１】
１７２は「決定」ボタン、１７０はカーソル移動ボタン、１７４は「戻る」ボタンである。
【００４２】
つぎに、上述のように構成された本発明に係る通信カラオケ装置１０とリモコン装置１００からなるカラオケシステム１の動作を図４のフローチャートを参照しながら、リクエスト予約入力時における採点モード指示入力操作と、該リクエスト指示による動作を説明する。
【００４３】
操作者は歌いたい楽曲をリクエストする場合、リモコン装置１００を使用して、リクエストした楽曲の曲番号を入力するか、または、キーワード検索を行って、リクエストする楽曲を指定する。
【００４４】
「曲番」ボタン１６４を押下された場合は（ステップ１００、以下、ステップをＳと略記する。図面において同じ）、曲番入力検索画面が表示される（Ｓ１０２）。前記検索画面上で、曲番号、例えば「６００１−９７」を入力し、「決定」ボタン１７２を入力すると（Ｓ１０４）、前記曲番に対応した曲情報の詳細画面が表示される（Ｓ１０６）。図５は、リモコン装置１００の表示部１４０の表示画面例を示した図であり、図５Ａは、曲番入力画面を示しており、曲番として「６００１−９７」を入力した際の表示画面を示している。また、図５Ｂは、前記表示される曲情報の詳細画面例を示した図であり、曲番「６００１−９７」の曲情報として、タイトル「翔べ！ガンダム」、番組名「機動戦士ガンダム」、唄い出し「も、え、あ、が、れ、」が表示されている。また、図において、採点予約は、楽曲を再生する際の採点モードを指定する情報である。
【００４５】
「採点」ボタン１６０が押下されると（Ｓ１０８）、採点モードの表示が「指定なし」から「ノーマル」に切り替わる（Ｓ１１０）。また、再度「採点」ボタン１６０が押下されると（Ｓ１０８）、採点モードの表示は、「ノーマル」→「ギャル」→「グラビア」→「全国採点」→「採点しない」→「指定なし」→「ノーマル」とサイクリックに切り替わる。
【００４６】
「決定」ボタン１７２が押下されると（Ｓ１１２）、リクエスト情報として、楽曲の曲番号情報と共に、前記採点モードを指示する採点モード指示情報が、カラオケ装置に送信される（Ｓ１１０）。
【００４７】
他方、「曲名」ボタン１６１を押下した場合は（Ｓ１００）、曲名入力検索画面（図５Ｃ参照）が表示される（Ｓ１１６）。前記検索画面上で、曲名、例えば「とべがんだむ」と入力して、「決定」ボタン１７２を押下すると（Ｓ１０４）、該検索キーワードに前方一致する曲が一覧表示される（Ｓ１１６）。図５Ｃでは、前記一覧画面の例であり、前記キーワードに対応する曲名「翔べ！ガンダム／機動戦士」が表示されている。前記曲名をカーソルで選択して、「決定」ボタン１７２を押下すると、図５Ｂの画面が表示される。
【００４８】
図５Ｂの画面表示の状態で、「採点」ボタン１６０が押下されると（Ｓ１０８）、採点モードの表示が「指定なし」から「ノーマル」に切り替わる（Ｓ１１０）。そして、「決定」ボタン１７２が押下されると（Ｓ１１２）、表示された曲の曲番情報と共に、前記採点モード指示情報（本実施例では、「ノーマル」）がリクエスト指示情報として、カラオケ装置１０へ送信される（Ｓ１１４）。尚、前記リクエスト情報には、前記採点モードを指定する採点モード指示情報が付加されて送信される。
【００４９】
カラオケ装置１０では、リクエスト指示情報を受信すると（Ｓ１０）、該リクエスト指示情報に基づいて、楽曲番号、採点モード指示情報（指定なし、ノーマル、ギャル、グラビア、全国採点、採点しない）などを主記憶部１８のリクエスト指示情報管理テーブルＴＢに記憶する（Ｓ１２）。カラオケ装置１０は、前記リクエスト指示情報管理テーブルＴＢに記憶されたリクエスト指示情報を解析し（Ｓ１４）、楽曲番号に基づいて、演奏の準備を行う（Ｓ１６）。演奏準備が完了すると（Ｓ１８）、演奏を開始する（Ｓ２０、Ｓ２８）。採点モード指示情報が指定ありで指定されている場合は、マイク２８から入力される歌唱者の音声について採点処理が実行される（Ｓ２２）。演奏が終了すると（Ｓ２４）、採点モード指示情報で指示された採点モードに応じて、採点の結果を表示する（Ｓ２６）。
【００５０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００５１】
【図１】本発明に係るカラオケシステム１のシステム構成を示すブロック図である。
【図２】本発明に係るカラオケ用リモコン装置１００の構成を示すブロック図である。
【図３】本発明に係るカラオケ用リモコン装置１００の概観図である。
【図４】本発明に係るカラオケシステム１の動作フローチャートである。
【図５】本発明に係るリモコン装置１００の表示部１４０の表示画面例を示した図である。
【符号の説明】
【００５２】
１        カラオケシステム  
１０      カラオケ装置
１２      ＣＰＵ部
１２ａ    ＲＯＭ
１２ｂ    ＲＡＭ
１６      状態情報表示部
１８      主記憶装置
１８ａ    リクエスト指示情報管理テーブルＴＢ
２０      補助記憶部
２２      通信処理部
２４      ＭＩＤＩ音源部
２６      ミキサ／アンプ部
２８      マイク
３０      スピーカ
３２      外部映像再生装置
３４      表示制御部
３６      映像表示部
１００    カラオケ用リモコン装置
１１０    無線通信部
１２０    操作部
１３０    ＣＰＵ部
１４０    表示部
【図１】
2005275309.tif 000003
【図２】
2005275309.tif 000004
【図３】
2005275309.tif 000005
【図４】
2005275309.tif 000006
【図５】
2005275309.tif 000007